(57)【要約】【課題】軒先カバーの受金具の機能と雪止の機能を有していて、太陽電池パネルを、屋根面部材の軒先側縁部上まで配設することが可能な雪止保持部材および太陽電池屋根構造を提供すること。【解決手段】屋根面部材２上に直接取り付けられる取付部（９，３５）と、取付部（９，３５）から起立した雪止め部（雪止板部１０，雪止め部Ｃ）と、取付部（９，３５）と一体に設けられた軒先部材取付用の軒先受金具部（Ｂ，Ｄ）を備えている。【選択図】  図１
2015048663.tif 000002
【特許請求の範囲】
【請求項１】
傾斜する屋根面部材上の太陽電池パネル上に積雪する雪が滑り落ちるのを規制させる雪止め部を、前記屋根面部材上に取り付ける雪止保持部材であって、
前記屋根面部材の軒先縁部上に直接取り付けられる取付部と、
前記取付部から起立した雪止め部と、前記取付部と一体に設けられた軒先部材取付用の軒先受金具部を備えることを特徴とする雪止保持部材。
【請求項２】
請求項１に記載の雪止保持部材において、前記軒先受金具部には、前記太陽電池パネルの軒先側縁部および前記屋根面部材の前記軒先縁部をカバーする軒先カバー又は樋、若しくは樋用ヒータ、或いは太陽電池ケーブルが軒先部材として取り付けられることを特徴とする雪止保持部材。
【請求項３】
請求項１又は２に記載の雪止保持部材において、前記雪止め部と前記軒先受金具部が同一の前記取付部に連接されていることを特徴とする雪止保持部材。
【請求項４】
請求項１〜３のいずれか一つに記載の雪止保持部材において、前記雪止め部の上端部が前記軒先受金具部より上方に突出していることを特徴とする雪止保持部材。
【請求項５】
請求項４に記載の雪止保持部材において、前記軒先受金具部は前記屋根面部材の屋根面と同方向に傾斜させられたカ軒先バー取付面を有することを特徴とする雪止保持部材。
【請求項６】
請求項５に記載の雪止保持部材において、
前記取付部は前記屋根面部材の軒先縁部及び前記太陽電池パネルの軒先側縁部に沿って延びる取付板部であり、前記雪止め部は前記取付板部に沿って延び且つ前記取付板部の軒先側縁部から起立する雪止板部であり、前記取付板部は長手方向両端部に設けられ且つ前記雪止板部より軒先側に延設されて前記軒先縁部から突出する延設板部を有すると共に、
前記軒先受金具部は、前記延設板部の軒先側縁部から起立する起立板部と、前記起立板部の上端から前記雪止板部の側縁まで延び且つ前記軒先部材取付面を有する軒先部材受板部を備えることを特徴とする雪止保持部材。
【請求項７】
請求項５に記載の雪止保持部材において、
前記取付部は前記軒先縁部および前記太陽電池パネルの軒先縁部に沿う方向に間隔をおいて設けられた一対の取付板部であり、
前記軒先受金具部は、前記一対の取付板部から起立する一対の脚部と、前記軒先縁部および前記太陽電池パネルの軒先縁部に沿って延び且つ前記一対の脚部の上端部を連設していると共に、上面が前記軒先部材取付面である雪止形成板部と、を備え、前記雪止め部は前記雪止形成板部の前記太陽電池パネル側の縁部に沿って設けられた雪止板部を備えることを特徴とする雪止保持部材。
【請求項８】
太陽電池パネル本体の周囲にパネル支持枠を装着した太陽電池パネルが設けられ、
前記太陽電池パネルが傾斜する屋根面部材の上面部に設けられていると共に、
請求項１〜７のいずれか一つに記載の雪止保持部材が前記屋根面部材に直接取り付けられ、前記雪止め保持部材に軒先化粧材を直接固定することを特徴とする太陽電池屋根構造。
【発明の詳細な説明】
【技術分野】
【０００１】
本発明は、傾斜する屋根面部材上の太陽電池パネル上に積雪する雪が滑り落ちるのを規制させる雪止保持部材および太陽電池屋根構造に関するものである。
【背景技術】
【０００２】
従来、複数枚の太陽電池パネルを傾斜する屋根面部材上に縦横に面状に貼設した建物の太陽電池屋根構造が知られている。この太陽電池屋根構造を積雪地域の建物に用いる場合、太陽電池パネルの上面に積雪した雪が軒先方向へ移動して軒先から落下するのは好ましくない。
【０００３】
このため、このような太陽電池屋根構造では、太陽電池パネルの上面より上方に突出する雪止保持部材を屋根面部材の軒先側縁部上に取り付けて、太陽電池パネルの上面に積雪した雪の軒先側への移動を雪止保持部材により阻止（規制）させるようにすることが知られている（例えば、特許文献１〜３参照）。
【０００４】
この太陽電池パネルは、屋根面部材との間に僅かな屋根面−パネル間隙間が形成されるように、パネル取付金具で屋根面部材上に取り付けられているのが普通である。
【０００５】
しかし、雪止取付金具やパネル取付金具および屋根面−パネル間隙間等は太陽電池屋根構造の見栄えを損なう虞がある。
【０００６】
このような見栄えが損なわれるのを防止するために、軒先側に配設した太陽電池パネルの軒先側縁部および屋根面−パネル間隙間を軒先カバーで覆うようにしたものがある（例えば、特許文献３参照）。
【先行技術文献】
【特許文献】
【０００７】
【特許文献１】特開2003-262017号公報
【特許文献２】特開平１１−１３１７２９号公報
【特許文献３】実用新案登録第３０９６７９０号公報
【特許文献４】特開平１０−２７３９５３号公報
【特許文献５】特開平０８−１３７２５号公報
【特許文献６】特開２０１３−１１９７３０号公報
【発明の概要】
【発明が解決しようとする課題】
【０００８】
このような太陽電池屋根構造では、太陽電池パネルを屋根面部材の軒先縁部上まで配設することにより、太陽電池パネルの設置面積を広くして、発電量を少しでも多くすることが望ましい。
【０００９】
しかしながら、このような太陽電池屋根構造では、軒先カバーを雪止保持部材とは別体の軒先カバー受金具で屋根面部材の軒先側縁部上に取り付けていたため、太陽電池パネルを屋根面部材の軒先側縁部上まで配設できないものであった。
【００１０】
また、傾斜屋根の軒先縁部上に雪止金具を設けた屋根構造としては、特許文献４に開示されたようなものがある。この特許文献４の屋根構造では、屋根下地板上に屋根瓦を敷設し、屋根瓦の軒先縁部に沿って雪止金具を取り付けると共に、雪止金具と屋根下地板との間に水切り板の取付板部を介装し、この水切り板の自由端部を軒先縁から下方に向けて垂下させていた。
【００１１】
このような雪止金具は、屋根瓦上に積雪した雪が滑り落ちるのを防止するためのものである。このため、この雪止金具を特許文献３の太陽電池パネルおよび軒先カバーが設けられた屋根構造にそのまま適用することも考えられる。この場合、特許文献３の雪止保持部材（雪止金具）を特許文献４の雪止金具で単に置き換える構造としかならない。この組み合わせの場合でも、太陽電池パネルを屋根面部材の軒先側縁部上まで配設できないものであった。
【００１２】
尚、太陽電池パネルの構造や太陽電池パネルの取付構造としては例えば特許文献５，６に開示されたようなものもある。
【００１３】
この特許文献５の屋根構造では、太陽電池部に枠部を設けた複数枚の太陽電池パネルが並設されている。そして、各太陽電池パネルの枠部には、屋根傾斜方向の下方に隣接する太陽電池パネルの上縁部を覆うカバー部が設けられた構造となっている。このカバー部は、並設された複数の太陽電池パネル間の軒先側縁を覆うカバーではないので、太陽電池パネル間の軒先側縁の見栄えの向上に役立つものではなかった。
【００１４】
また、特許文献６では、傾斜屋根に金属製の屋根部材を敷き詰めた金属葺きの基礎屋根構造を設けて、この基礎屋根構造上に複数の太陽電池パネルを縦横に設置すると共に、屋根の軒先部分に沿って複数の軒先取付け金具を間隔をおいて取り付け、軒先に沿って延びる化粧板を複数の軒先取り付け金具に上方から取り付けるようにしている。しかし、この屋根構造は、複数枚の太陽電池パネルを軒先縁まで隙間無く配設しているため、雪止部材を設けることが難しく、降雪地域には適しないものであった。
【００１５】
そこで、この発明は、軒先カバーの受金具の機能と雪止の機能を有していて、太陽電池パネルを屋根面部材の軒先側縁部上まで配設することが可能な雪止保持部材および太陽電池屋根構造を提供することを目的とするものである。
【課題を解決するための手段】
【００１６】
この目的を達成するために、この発明は、傾斜する屋根面部材上の太陽電池パネル上に積雪する雪が滑り落ちるのを規制させる雪止め部を、前記屋根面部材上に取り付ける雪止保持部材であって、前記屋根面部材の軒先縁部上に直接取り付けられる取付部と、前記取付部から起立した雪止め部と、前記取付部と一体に設けられた軒先部材取付用の軒先受金具部を備えることを特徴とする。
【発明の効果】
【００１７】
この構成の雪止保持部材によれば、軒先部材取付用の機能と雪止機能を有しているので、太陽電池パネルを屋根面部材の軒先側縁部上まで配設することができる。このため、既存の太陽光発電のモジュールを大きくして、太陽電池パネルの設置面積を増やすことができる。また、この雪止保持部材を用いた太陽電池屋根構造は、雪止保持部材と同様な効果を有する。
【図面の簡単な説明】
【００１８】
【図１】（ａ）はこの発明の実施例１に係る雪止保持部材と軒先カバーが設けられた太陽電池屋根構造を備える建物の概略斜視図、（ｂ）は（ａ）のＡ１−Ａ１線に沿う断面図である。
【図２】図１（ｂ）に示した軒先部の拡大断面図である。
【図３】図１（ｂ）の雪止保持部材と軒先カバーとの関係を示す拡大説明図である。
【図４】図１（ｂ）の雪止保持部材の斜視図である。
【図５】図４の雪止保持部材の平面図である。
【図６】図５の雪止保持部材を矢印Ａ２方向から見た説明図である。
【図７】図５の雪止保持部材を矢印Ａ３方向から見た拡大側面図である。
【図８】図２の雪止保持部材に軒先カバーを取り付ける説明図である。
【図９】（ａ）は図８に示した軒先カバーの隣接するカバー部材に結合のための穴加工を行う説明図、（ｂ）は（ａ）の隣接するカバー部材の結合状態を示す説明図である。
【図１０】この発明の実施例２に係る雪止保持部材と軒先カバーを備える太陽電池屋根構造の軒先部の拡大断面図である。
【図１１】図１０の雪止保持部材の側面図である。
【図１２】図１０の雪止保持部材の斜視図である。
【図１３】この発明にかかる雪止保持部材がない場合の軒先カバーの取付の説明図である。
【発明を実施するための形態】
【００１９】
以下、この発明に係る雪止保持部材が設けられた太陽電池屋根構造を図面に基づいて説明する。
[実施例１]
図１（ａ）はこの発明の実施例１に係る雪止保持部材と軒先カバーが設けられた太陽電池屋根構造を備える建物の概略斜視図、図１（ｂ）は図１（ａ）のＡ１−Ａ１線に沿う断面図である。また、図２は図１（ｂ）に示した軒先部の拡大断面図、図３は図１（ｂ）の雪止保持部材と軒先カバーとの関係を示す拡大説明図、図４は図１（ｂ）の雪止保持部材の斜視図である。
【００２０】
また、図５は図４の雪止保持部材の平面図、図６は図５の雪止保持部材を矢印Ａ２方向から見た説明図、図７は図５の雪止保持部材を矢印Ａ３方向から見た拡大側面図、図８は、図２の雪止保持部材に軒先カバーを取り付ける説明図である。更に、図９（ａ）は図８に示した軒先カバーの隣接するカバー部材に結合のための穴加工を行う説明図、図９（ｂ）は図９（ａ）の隣接するカバー部材の結合状態を示す説明図である。
【００２１】
図１（ａ）において、建物１は傾斜する屋根面部材２，３を有する。この屋根面部材２上には、太陽光発電装置４が設置されている。この太陽光発電装置４は、屋根面部材２の傾斜方向に２列に配置された太陽電池パネル列４ａ，４ｂを有する。この太陽電池パネル列４ａは屋根面部材２の軒先側に配置されている。
【００２２】
太陽電池パネル列４ａ，４ｂは、複数枚の太陽電池パネル（太陽電池モジュール）５を備えている。各太陽電池パネル５は、図１（ｂ）に示したように、太陽電池パネル本体（太陽電池モジュール本体）６と、太陽電池パネル本体６の周縁を保持するフレーム（パネル支持枠）７を有する。そして、フレーム７が、図示を省略した固定手段（取付金具および固定ネジ等）で屋根面部材２上に取り付けられている。この取付には周知の構造を採用できるので、詳細な図示及び説明は省略する。
【００２３】
太陽電池パネル列４ａの太陽電池パネル５は、図１（ｂ）〜図３に示したように、軒先側縁（下縁）５ａが屋根面部材２の軒先側縁部２ａの近傍上に配置されている。
（雪止保持部材）
この軒先側縁部２ａ上には、太陽電池パネル５の軒先側縁（下縁）５ａに沿って雪止保持部材８が配設されている。この雪止保持部材８は図４〜図７に示したように、細長く延びる取付板部９を有し、この取付板部９は長手方向側縁（長手方向に延びる側縁）９ａ，９ｂおよび長手方向の端部９ｃ，９ｄを有する。また、雪止保持部材８は、取付板部９の長手方向側縁（長手方向に延びる側縁）９ａから垂直に起立させられた雪止板部（雪止め部）１０を有する。
【００２４】
この取付板部９には、取付板部９の長手方向の両端部９ｃ，９ｄに一体に設けられ、且つ、取付板部９が雪止板部１０から垂直に延びる方向に対して反対方向に延びる延設板部１１が設けられている。
【００２５】
また、この取付板部９の延設板部１１には、起立する軒先部材取付用の軒先受金具部Ｂが一体に設けられている。この軒先受金具部Ｂは、雪止板部１０と平行に延設板部１１の端縁から垂直に起立させられた起立板部１２と、起立板部１２の上端から垂直に且つ雪止板部１０の側縁まで延設された軒先部材受板部１３を有する。この軒先部材受板部１３は、取付板部９及び延設板部１１と平行又は略平行に設けられていると共に、取付板部９及び延設板部１１と平行又は略平行な上面１３ａを軒先部材取付面として有する。この上面１３ａの高さは雪止板部１０よりも低く形成され、即ち、雪止板部１０の上端部１０ａは軒先部材受板部１３よりも上方に突出させられている。
【００２６】
この雪止保持部材８の取付板部９，雪止板部１０，延設板部１１，起立板部１２，軒先部材受板部１３等は、一枚の鋼板に切り込みを入れたり、曲げ加工を行うことにより形成されている。
【００２７】
また、取付板部９には、長手方向の端部９ｃ，９ｄ側で且つ長手方向側縁９ｂ側に位置させて、取付孔列１４,１４が設けられている。この取付孔列１４は、複数のネジ挿通孔（取付孔）１５を有する。本実施例では、取付孔列１４は、３つのネジ挿通孔１５からなる第１孔列１４ａと、２つのネジ挿通孔１５からなる第２孔列１４ｂを有する。この第１，第２孔列１４ａ，１４ｂは、幅方向に僅かにずらして設けられている。
（雪止保持部材８の取付状態）
このような構成の雪止保持部材８は、取付板部９の長手方向側縁９ａが軒下側に位置し且つ長手方向側縁９ｂが太陽電池パネル５の軒先側縁部の下方に位置するように配設されている。そして、この取付板部９は、図４〜図７のネジ挿通孔１５に挿通した固定ネジ１６で屋根面部材２に固定されている。尚、この雪止保持部材８の屋根面部材２上への取り付けは、図１（ｂ）のように太陽電池パネル５を屋根面部材８に取り付ける前に行われる。図８は雪止保持部材８の配置及び取り付けを示したものであるが、この図８では図２の固定ネジ１６が雪止板部１０に隠れた位置にあるので図示されていない。
【００２８】
また、図２，図３に示したように太陽電池パネル５の軒先側縁部２ａは雪止保持部材８の雪止板部１０に当接させられている。この雪止板部１０は、上端部側が太陽電池パネル５の上面の下縁よりも上方に突出する寸法に形成されている。また、雪止保持部材８の軒先部材受板部１３は、太陽電池パネル５の上面の下縁よりも上方に配置されている。
【００２９】
更に、屋根面部材２の軒先には桁方向に延びる樋１７が取り付けられている。そして、取付板部１０の両端部９ｃ、９ｄに設けた延設板部１１，１１は屋根面部材２の軒下縁２ａから樋１７の上側に突出させられている。
【００３０】
このような雪止保持部材８は軒先側の各太陽電池パネル５毎に設けられている。そして、図１（ａ），図９（ｂ）に示したように、複数の雪止保持部材８の下部側及び隣接する太陽電池パネル５，５間は、軒先部材である軒先カバー（軒先化粧材、化粧板）１８により覆われて、見栄えが損なわれないようになっている（図１（ｂ），図３参照）。
【００３１】
この軒先カバー１８は、各太陽電池パネル５毎に配設される複数の軒先カバー部材１９を備えている。各軒先カバー部材１９は、雪止保持部材８の軒先部材受板部１３上に配設される上カバー板部１９ａと縦カバー板部１９ｂから逆Ｌ字状に形成されている。図９（ａ），図９（ｂ）は、軒先カバー１８の複数の軒先カバー部材１９のうち隣接するものを示したものである。
【００３２】
この上カバー板部１９ａは、雪止保持部材８の軒先部材受板部１３上に固定ネジ２０で固定されている。この取り付けは、雪止保持部材８を屋根面部材２に取り付けて、太陽電池パネル５を屋根面部材２上に取り付けた後に行われる。上カバー板部１９ａを施工現場で太陽電池パネル５に対応するように合わせた後、ドリルにより軒先部材受板部１３及び上カバー板部１９ａに穴あけ加工を行って、穴開け加工した部分を固定ネジ２０で固定する。この際、縦カバー板部１９ｂは、雪止保持部材８の起立板部１２に当接させる。
【００３３】
また、隣接する軒先カバー部材１９は端部同士が重ね合わせられていて、重ね合わせた縦カバー板部１９ｂの部分が固定ネジ２１により固定されている。この取り付けは、雪止保持部材８を屋根面部材２に取り付け後に行われるので、図９（ａ）のように施工現場でドリルＤＬにより隣接する軒先カバー部材１９の縦カバー板部１９ｂに貫通孔Ｈを形成（穴開け加工）した後、この穴開け加工した部分同士を図９（ａ）のドライバーＤｒを用いて図９（ｂ）のように固定ネジ２１で固定する。
【００３４】
尚、延設板部１１は、雪止板部１０より軒先側に延設されて、屋根面部材２の軒先縁部２ａから突出させられている。
[実施例２]
図１０は、この発明の実施例２に係る雪止保持部材と軒先カバーを備える太陽電池屋根構造の軒先部の拡大断面図である。また、図１１は図１０の雪止保持部材の側面図、図１２は図１０の雪止保持部材の斜視図である。更に、図１３は、この発明に係る雪止保持部材がない場合の軒先カバーの取付の説明図である。
【００３５】
この実施例２の雪止保持部材３０は、図１１，図１２に示したように、間隔を置いて設けられた取付板部３５，３５と、この取付板部３５，３５に一体に設けられた雪止め部Ｃを有する。この雪止め部Ｃは、取付板部３５，３５から起立する軒先部材取付用の軒先受金具部Ｄ、および軒先受金具部Ｄに一体に設けられた雪止板部３３を有する。これらの構成を以下により詳細に説明する。尚、図１０では、図示の便宜上、符号Ｃ，Ｄは省略している。
【００３６】
軒先受金具部Ｄは、図１１，図１２に示したように、取付板部３５，３５から上方に向けて垂直に起立する脚部３４，３４と、脚部３４，３４の上端同士を連設する雪止形成板部３１を有する。この雪止形成板部３１は、取付板部３５，３５と平行に設けられていると共に、軒先カバー受板を兼用していて、上面３１ｃを軒先カバー受面として有する。この構成により軒先受金具部Ｄは、取付板部３５，３５から上方に向けて起立させられている。
【００３７】
また、雪止め部Ｃは、雪止形成板部３１の長手方向側縁３１ａ，３１ｂにそれぞれ一体に設けられた補強用の前板部３２，雪止板部３３を有する。
前板部３２は、雪止形成板部３１の長手方向側縁３１ａに下方に向けて垂直に折曲することにより形成さている。また、雪止板部３３は、雪止形成板部３１の長手方向側縁３１ｂに上方に向けて折曲することにより、雪止形成板部３１に上方に向けて垂直に形成されている。これにより雪止め部Ｃの上端部である雪止板部３３は、雪止形成板部３１の上面（軒先カバー受面）３１ｃから上方に突出している。
【００３８】
更に、取付板部３５は、脚部３４よりも前側に僅かに突出する突出部３５ａと、脚部３４から雪止板部３３側の下方側に向けて突出する突出部３５ｂを有する。
【００３９】
しかも、取付板部３５には、取付孔列３６が形成されている。この取付孔列３６は、３つのネジ挿通孔３７からなる第１孔列３６ａと、２つのネジ挿通孔３７からなる第２孔列３６ｂを有する。この第１，第２孔列３６ａ、３６ｂは僅かにずらして設けられている。
【００４０】
取付板部３５は、図１（ａ）の隣接する太陽電池パネル５，５間の下方に位置させて屋根面部材２上に図１０のように配設される。また、この取付板部３５は、固定ネジ３８で屋根面部材２上に固定されている。この取付板部３５の固定に際しては、図１２のネジ挿通孔３７に固定ネジ３８を挿通した後、この挿通した固定ネジ３８を図１０のように屋根面部材２上に螺着する。この取付板部３５は、一部が屋根面部材２の軒先縁２ａ１から樋１７上に突出させられている。
【００４１】
そして、上述した雪止形成板部３１の上面３１ｃ上には、軒先カバー１８を構成する軒先カバー部材１９の上カバー板部１９ａが固定ネジ３９で取り付けられている。また、縦カバー板部１９ｂは、上部が雪止保持部材３０の前板部３２に当接させられ、下部が取付板部３５の突出部３５ａに当接させられている。
【００４２】
尚、降雪量が少なく或いは降雪しない地域では、雪止保持部材３０を必要としない。この場合には、図１３に示したように、太陽電池パネル５のフレーム７にカバー受け金具４０を固定ネジ４１で取り付けて、このカバー受け金具４０の軒先カバー部材１９の上カバー板部１９ａを固定ネジ４２で固定する。この場合においても、太陽電池パネル５の軒先側縁部５ａは、屋根面部材２の軒先縁部近傍まで配設される。これにより、従来の軒先カバーを配置する場合に比べて、太陽電池パネル５の配設面積を広く取れる。
【００４３】
尚、雪止形成板部３１の太陽電池パネル５側縁部は太陽電池パネル５の軒先側縁部５ａ上に配設され且つ雪止形成板部３１の軒先側縁部は軒先縁部から突出させられている。また、取付板部３５，３５は、太陽電池パネル５の軒先縁部の側方に突出させる突出部３５ｂと、屋根面部材２の軒先縁部２ａから突出する突出部３５ａを有する。
（その他）
上述した実施例では、軒先受金具部Ｂ，Ｄに取り付けられる軒先部材として軒先カバー１８の例を説明したが、これに限定されるものではない。例えば、軒先受金具部Ｂ，Ｄに取り付けられる軒先部材としては、樋１７であっても良いし、樋１７に積雪する雪を融解させる樋用ヒータ（図示せず）、或いは複数の太陽電池パネル５に配線される太陽電池ケーブル(図示せず)等であっても良い。尚、軒先部材としては、軒先に取り付けられる部材であれば、樋１７や樋用ヒータ（図示せず）、或いは太陽電池ケーブル(図示せず)以外の部材であっても良い。
[発明の実施の形態の作用・効果]
以上説明した発明の実施の形態の作用・効果を以下に説明する。
（１）この発明の実施の形態の雪止保持部材（８，３０）は、傾斜する屋根面部材２上の太陽電池パネル５上に積雪する雪が滑り落ちるのを規制させる雪止め部（雪止板部１０，雪止め部Ｃ）を、前記屋根面部材２上に取り付けている。
【００４４】
しかも、前記屋根面部材２の軒先縁部２ａ上に直接取り付けられる取付部（取付板部９，３５）と、前記取付部（取付板部９，３５）から起立した雪止め部（雪止板部１０，雪止め部Ｃ）と、前記取付部（取付板部９，３５）と一体に設けられた軒先部材取付用の軒先受金具部（Ｂ，Ｄ）を備えている。
【００４５】
この構成の雪止保持部材（８，３０）によれば、軒先部材取付用の受金具の機能と雪止機能を有しているので、太陽電池パネル５を屋根面部材２の軒先側縁部上まで配設することができる。このため、既存の太陽光発電のモジュール（太陽電池パネル５）を大きくして、太陽電池パネル５の設置面積を増やすことができる。
（２）この発明の実施の形態の雪止保持部材（８，３０）において、前記軒先受金具部（Ｂ，Ｄ）には、前記太陽電池パネル５の軒先側縁部５Ａおよび前記屋根面部材２の前記軒先縁部２ａをカバーする軒先カバー１８又は樋１７、若しくは樋用ヒータ、或いは太陽電池ケーブルが軒先部材として取り付けられる。
（３）この発明の実施の形態の雪止保持部材（８，３０）において、前記雪止め部（雪止板部１０，雪止め部Ｃ）と前記軒先受金具部（Ｂ，Ｄ）が同一の前記取付部（取付板部９，３５）に連接されている。
【００４６】
この構成によれば、前記雪止め部（雪止板部１０，雪止め部Ｃ）と前記軒先受金具部（Ｂ，Ｄ）を簡易に形成できる。
（４）また、この発明の実施の形態の雪止保持部材（８．３０）は、前記雪止め部（雪止板部１０，雪止め部Ｃ）の上端部（上端部１０ａ，雪止板部３３）が前記軒先受金具部（Ｂ，Ｄ）より上方に突出している。
【００４７】
この構成によれば、実質的な雪止め部の上端部（上端部１０ａ，雪止板部３３）以外の部分は、軒先受金具部（Ｂ，Ｄ）に取り付けられた軒先カバー１８によりカバーされるので、屋根面部材２および太陽電池パネル５の軒先縁部および雪止部材の下部側が見栄えを損なうのを防止できる。
（５）更に、この発明の実施の形態の雪止保持部材（８，３０）において、前記軒先受金具部（Ｂ，Ｄ）は前記屋根面部材２の屋根面と同方向に傾斜させられた軒先部材取付面を有する。
【００４８】
この構成によれば、軒先カバー１８の軒先部材取付面（上面１３ａ，３１ｃ）に取り付けられる部分（上カバー板部１９ａ）が屋根面部材２の屋根面と同方向に傾斜するので、軒先カバー１８と屋根面部材２とのデザイン状の一体感が得られる。
（６）更に、この発明の実施の形態の雪止保持部材（８，３０）において、前記取付部は前記屋根面部材２の軒先縁部２ａ及び前記太陽電池パネル５の軒先側縁部５ａに沿って延びる取付板部９であり、前記雪止め部は前記取付板部９に沿って延び且つ前記取付板部９の軒先側縁部から起立する雪止板部１０である。また、前記取付板部９は長手方向両端部に設けられ且つ前記雪止板部１０より軒先側に延設されて前記軒先縁部２ａから突出する延設板部１１，１１を有する。更に、前記軒先受金具部Ｂは、前記延設板部１１，１１の軒先側縁部から起立する起立板部１２と、前記起立板部１２の上端から前記雪止板部１０の側縁まで延び且つ前記軒先部材取付面（１３ａ）を有する軒先部材受板部１３を備えている。
【００４９】
この構成によれば、軒先受金具部Ｂの重量を必要最小限に抑えることができるので、雪止部材全体の重量を少なくできる。
（７）この発明の実施の形態の雪止保持部材（８，３０）において、前記取付部は前記屋根面部材２の軒先縁部２ａおよび前記太陽電池パネル５の軒先縁部５ａに沿う方向に間隔をおいて設けられた一対の取付板部３５，３５である。また、前記軒先受金具部Ｄは、前記一対の取付板部３５，３５から起立する一対の脚部３４，３４と、前記屋根面部材２の軒先縁部２ａおよび前記太陽電池パネル５の軒先縁部５ａに沿って延び且つ前記一対の脚部３５，３５の上端部を連設していると共に、上面３１ｃが前記軒先部材取付面である雪止形成板部３１と、を備えている。更に、前記雪止め部Ｃは前記雪止形成板部３１の前記太陽電池パネル５側の縁部に沿って設けられた雪止板部３３を有する。
【００５０】
この構成によれば、雪止部材の雪止形成板部３，脚部３４，３４，取付板部３５，３５等を軒先カバー１９により確実にカバーできる。
（８）更に、この発明の実施の形態の太陽電池屋根構造は、太陽電池パネル本体６の周囲にパネル支持枠（フレーム７）を装着した太陽電池パネル５が設けられ、前記太陽電池パネル５が傾斜する屋根面部材２の上面部に設けられていると共に、雪止保持部材（８，３０）が前記屋根面部材２に直接取り付けられ、前記雪止保持部材８に軒先化粧材（軒先カバー１８）が直接固定されている。
【００５１】
この構成によれば、雪止保持部材（８，３０）と同様な効果を有する。
【符号の説明】
【００５２】
１  建物
２  屋根面部材
２ａ  軒先側縁部
２ａ１  軒先下縁
３  屋根面部材
５  太陽電池パネル（太陽電池モジュール）
６  太陽電池パネル本体
７  フレーム（パネル支持枠）
８  雪止保持部材
９  取付板部
１０  雪止板部（雪止め部）
１０ａ  上端部
１１  延設板部
Ｂ  軒先受金具部
１２  起立板部
１３  軒先部材受板部
１３ａ  上面（軒先部材取付面）
１８  軒先カバー（軒先化粧材、軒先部材）
１９  軒先カバー部材（軒先部材）
３０  雪止保持部材
Ｃ  雪止め部
Ｄ  軒先受金具部
３１  雪止形成板部
３１ｃ  上面（軒先部材取付面）
３３  雪止板部
３５  取付板部
【図１】
2015048663.tif 000003
【図２】
2015048663.tif 000004
【図３】
2015048663.tif 000005
【図４】
2015048663.tif 000006
【図５】
2015048663.tif 000007
【図６】
2015048663.tif 000008
【図７】
2015048663.tif 000009
【図８】
2015048663.tif 000010
【図９】
2015048663.tif 000011
【図１０】
2015048663.tif 000012
【図１１】
2015048663.tif 000013
【図１２】
2015048663.tif 000014
【図１３】
2015048663.tif 000015